(57)【要約】【課題】他の機能を有する物品を一体化した筆記具を提供する。【解決手段】筆記具であるボールペン１０にブザー６８と、光源１８を一体に備える。ボールペン１０は、光源１８によりライトとして機能し、またブザー６８により防犯ブザーとしても機能する。ブザー６８のスイッチは、クリップ１６の下側の、ボールペンの軸部１２の側面に設けられたブザースイッチボタン２６により操作される。通常時のクリップ１６の位置では、ブザースイッチボタン２６はクリップ１６に覆われているので、誤操作が防止される。ブザーを鳴らすときには、クリップ１６を回動させてブザースイッチボタン２６を露出させる。【選択図】図１
0003135331.tif 000002
【実用新案登録請求の範囲】
【請求項１】
スイッチ操作によりオンオフ可能なライトと、
スイッチ操作によりオンオフ可能なブザーと、
を、軸部に一体に備えた筆記具。
【請求項２】
請求項１に記載の筆記具であって、
ブザーは、ライトのスイッチがオン状態のときブザーのスイッチをオン状態とすることでオンとなり、ライトのスイッチがオフ状態のときにはブザーのスイッチをオン状態としてもオフとされる、
筆記具。
【請求項３】
請求項１または２に記載の筆記具であって、
対象物を挟持する挟持片を有するクリップが、軸部に回動可能に設けられ、
ブザーのスイッチは、クリップの挟持片が軸部に沿って位置し、軸部と共に対象物を挟持可能な位置にあるとき、軸部側面の、挟持片下側の位置に設けられ、クリップを回動することにより露出する、
筆記具。
【請求項４】
請求項３に記載の筆記具であって、
ブザーのスイッチは、押すとオン状態となり、離すとオフ状態となるスイッチであり、
クリップは、回動の軸に関して挟持片と異なる向きに延びる押し込み片を有し、
クリップを回動させて押し込み片にてブザーのスイッチを押して、これをオン状態とすることができる、
筆記具。
【請求項５】
請求項１〜４のいずれか１項に記載の筆記具であって、
軸部は、筆記具の芯を含む部分とライトの光源を含む部分とに、軸方向において分離可能であり、
分離された光源を含む部分は、その側面に光源が配置され、分割面が、この面を下にして平面上に立てて置くことができる形状である、
筆記具。
【考案の詳細な説明】
【技術分野】
【０００１】
本考案は、他の機能を有する物品と組み合わせられた筆記具に関する。
【背景技術】
【０００２】
筆記具に、スタンプ、消しゴム、照明等の他の機能を有する物品を組み合わせた例が知られている。また、下記特許文献１には、警報装置のケースをボールペン形状とした例が示されている。
【０００３】
【特許文献１】特開２００１−７６２６６号公報
【考案の開示】
【考案が解決しようとする課題】
【０００４】
近年、防犯ブザーを携帯することが広く行われているが、単体の防犯ブザーを携帯するのでは、携帯する物品が多くなり、不便である。
【課題を解決するための手段】
【０００５】
本考案の筆記具は、スイッチ操作によりオンオフ可能なライトと、スイッチ操作によりオンオフ可能なブザーと、軸部に一体に備えている。複数機能を備えることにより、携帯する物品数を削減できる。また、ブザーにより警報を発すると共に、ライトにより不審者を照らすこともできる。
【０００６】
また、ライトがオンとなっていない状態では、ブザーがオンとならないようにされており、誤作動を防止することができる。
【０００７】
筆記具の軸部には、軸部と共に対象物を挟持する挟持片を有するクリップを、回動可能に設けることができる。クリップの挟持片は、通常時には軸部に沿って位置するようにでき、このとき挟持片の下側の軸部側面にブザーのスイッチが位置するようにできる。通常時には、ブザーのスイッチが、クリップの挟持片により覆われているので、これによってもブザーの誤動作が防止することができる。ブザーをオンにする際には、クリップを回動させて、ブザーのスイッチを露出させ、これを操作する。
【０００８】
ブザーのスイッチは、押すとオン状態となり、離すとオフ状態となるスイッチとすることができる。クリップは、回動の軸に関して挟持片と異なる向きに延びる押し込み片を有するようにでき、クリップを回動させて押し込み片にてブザーのスイッチを押して、これをオン状態とするようにできる。これにより、ブザーのスイッチが連続的にオン状態となる。
【０００９】
筆記具の軸部は、芯を含む部分、つまり筆記に係る部分と、ライトの光源を含む部分とに軸方向に分離可能にすることができる。光源は軸部の側面に配置され、さらに光源を含む部分は、平板上に立てて置けるようにできる。光源を含む部分を立てて置き、手元を照らして筆記具で文字を書くことができる。
【考案を実施するための最良の形態】
【００１０】
以下、本考案の実施形態を図面に従って説明する。図１は、本実施形態の筆記具１０の全体図である。本実施形態の筆記具１０はボールペンであり、以下の説明においてはボールペン１０と記して説明する。しかし、フェルトペン、繰出式の鉛筆、万年筆等の他の筆記具についても本考案を適用することができる。
【００１１】
ボールペン１０の軸部１２の先端、すなわち図１において下端となるペン先には、ペン芯１４が配置されている。また、軸部１２のもう一方の端、図１において上端である頭部の側面にはクリップ１６が、また頭部に近い側面には光源１８が設けられている。光源１８は、好適にはＬＥＤを用いることができる。さらに頭部には、ブザー６８（図１１参照）が内蔵されている。
【００１２】
軸部１２は、相互に回転可能に結合されている先筒２０と基筒２２を含み、これらを相互に回転させることにより、ペン芯１４の先が軸部１２より繰り出され、また軸部１２に格納される。基筒２２の中央付近またはクリップ１６より図１において下の部分には、光源の点灯、消灯を操作するライトスイッチ筒２４が、基筒２２と同軸に、相互に回転可能に設けられている。ライトスイッチ筒２４を回転させることで、光源が点灯、消灯する。また、軸部１２の側面であって、クリップ１６の下に隠れる位置にブザーのオンオフを行うブザースイッチボタン２６が配置されている。
【００１３】
ボールペン１０は、図１に一点鎖線で示す分割面２８より二つに分離することができる。これら二つの部分が図２および図３に示され、これらを通常の使用態様、すなわちペン先を下に向けて筆記する際の上下の位置関係に基づき、図２に示す部分を上部分３０、図３に示す部分を下部分３２と記す。基筒２２は、分割面２８により上下に分割され、必要に応じて上部分３０に属する部分を符号２２Ａを用いて、下部分３２に属する部分を符号２２Ｂを用いて説明する。
【００１４】
上部分３０の頭頂部には、図２に示すように開口３４が設けられ、その奥にブザー６８（図１１参照）が配置されている。また、前述のように、基筒２２Ａの側面には光源１８が備えられ、上部分３０がライトとして機能する。図３に示す下部分３２において、基筒２２Ｂと先筒２０は、相互に回転可能となっており、この相対回転によりペン芯１４が進退する。下部分３２は、この進退にかかる機構を内蔵しているが、周知の機構であるので、その説明は省略する。
【００１５】
上部分３０と下部分３２の分割面２８による分割によって表れる、上部分３０の面を分割面２８Ａ、下部分３２の面を分割面２８Ｂと記す。下部分の分割面２８Ｂには、図３及び図４に示すように、その周縁に、縁壁３６が設けられ、これの内側に係合凹部３８が形成されている。上部分の分割面２８Ａには、図４によく示されるように、係合凸部４０が設けられている。係合凸部４０を縁壁３６で囲まれた係合凹部３８に差し込み、係合させることにより、上部分３０と下部分３２が結合される。
【００１６】
図５〜７は、クリップ１６と、クリップ１６を取り付けるクリップホルダ４２の構成を示す図である。図５は、クリップ１６を取り外した状態の上部分３０の頭部付近を示す図である。図６は、上部分３２を図５の上方から見た状態を示す図である。図７は、クリップ１６単体を示す図である。
【００１７】
基筒２２の頭部には、直径が小さくされた細径部４４が設けられ、ここに概略円環形状のクリップホルダ４２がはめ込み装着されている。図６によく示されるように、クリップホルダ４２は、環状部分４６と、環状部分４６の一カ所に設けられた台座部分４８を有している。台座部分４８には、ボールペン１０の長手方向に直交する軸線を有する軸穴５０が設けられている。軸穴５０には、クリップ１６の裏面に設けられたクリップ軸５２が差し込まれる。クリップ軸５２の外周面には溝５４が設けられ、この溝５４に、この溝５４の部分でクリップ軸を挟むキー（不図示）が差し込まれ、これによりクリップ１６がクリップホルダ４２に保持される。このときクリップ１６は、クリップ軸５２を軸として正逆共に回転可能となっている。クリップホルダ４２の軸穴５０の周囲の面には、周方向に凹凸が繰り返し配置される環状凹凸部５６が形成されている。クリップ１６の裏面のクリップ軸５２の周辺には、突起５８が形成されている。この突起５８と、環状凹凸部５６の凹凸とが係合して、クリップ１６の回転に対してクリック感を与えている。また、クリップ１６を所定の回転位置に位置決めもしている。
【００１８】
クリップ１６は、略Ｕ字形の挟持片６０を含み、Ｕ字の曲線部分のと、直線部分の境界付近に、前述のクリップ軸５２が設けられている。挟持片６０の２本の直線部分で、対象物を挟持することで、このボールペン１０が対象物に保持される。挟持片は、１枚の板片とすることもでき、この場合は、挟持片と軸部で対象物を挟む。クリップ１６は、クリップ軸５２に関して、挟持片６０とは反対側に延びる押し込み片６２を有している。クリップ１６を回転させて押し込み片６２をブザースイッチボタン２６の位置に合わせると、このボタン２６が押し込まれた状態が維持され、ブザーを鳴り続けさせることができる。
【００１９】
図８〜１０のそれぞれは、クリップ１６が異なる回転位置にある状態を示す。図８は、通常の使用時であり、クリップ１６は軸部１２沿った位置にあり、挟持片６０は、ペン先の方向に向いている。このときには、ブザースイッチボタン２６は、クリップ１６の下側、すなわちクリップ１６より図において紙面を貫く方向奥側に位置し、クリップに覆われた状態となって、容易に操作できないようにされている。図９は、クリップ１６を図８の状態から９０°左に回した状態を示している。これにより、ブザースイッチボタン２６が露出し、これの操作ができるようになる。クリップ１６を１８０°回した状態が、図１０に示されている。この状態では、押し込み片６２がブザースイッチボタン２６の直上に位置し、これを押し込んでいる。これにより、指によりボタン２６を押し込み続けなくても、ブザーが連続的に鳴る。
【００２０】
図１１は、上部分３０の分解斜視図である。上部分の基筒２２Ａは、電池６４を収容する電池収容筒６６と、ブザー６８、光源１８を収容するブザー・光源収容筒７０とを含む。二つの収容筒６６，７０のそれぞれには、雌ねじ部７２、雄ねじ部７４が設けられており、これらのねじにより二つの収容筒が結合されている。
【００２１】
電池収容筒６６には、ライトスイッチ筒２４が装着される、直径が細くなったスイッチ筒装着部７６が設けられている。スイッチ筒装着部７６の側面には、ボールペン１０の軸線方向において間隔を開けて配置され、この筒を貫通する第１接点開口７８、第２接点開口８０が設けられている。第１接点開口７８は、この実施形態では、図示されている開口７８に対向する側の側面にも設けられている。第１接点開口７８には、第１接点板８４に設けられた第１接点８２がはめ込まれる。第１接点板８４の板状の部分には電池６４の一方の極が接触している。第２接点開口８０には、第２接点８６を有する第２接点板８８が配置される。第２接点板８８は、裏側、すなわち電池収容筒６６の内周面側にも接点９０を有し、これが後述する接点リング９２と接触している。第１接点板８４と第２接点板８８は、分離されており、これだけでは、両者間に電流は流れない。ライトスイッチ筒２４の内周面には、導体筒９４が配置され、これはライトスイッチ筒２４と共に回転する。導体筒９４は、第１接点８２に対応する位置に切り欠き９６が設けられている。このボールペン１０においては、第１接点８２は２個設けられているので、切り欠き９６も同様に２個設けられている。切り欠き９６の内側に第１接点８２が位置するときには、第１接点板８４と導体筒９４は、導通されておらず、ライトスイッチ筒２４を回転させて、第１接点８２が切り欠き９６から出ると、第１接点板８４と導体筒９４の導通が達成される。第２接点板８８と導体筒９４は、導体筒９４の回転位置によらず常に導通状態にある。
【００２２】
光源１８とブザー６８は、他の回路素子と共に基板９８に実装されている。基板９８は、大部分がブザー・光源収容筒７０内に収容されるが、一部が電池収容筒６６内に延び、この部分に接点リング９２が配置されている。接点リング９２には、接点腕１００が設けられており、これにより基板９８の配線との導通が達成されている。前述のように、この接点リング９２は、第２接点板８８と導通しており、導体筒９４と第１接点板８４を介して電池の一方の極に接続されるようになっている。接点リング９２の内側の位置に接点ばね１０２が配置されている。接点ばね１０２の一端は、電池６４の他方の極に接し、他端は基板９８の配線と接続している。以上により、電池６４の電力が基板９８上の回路に供給され、光源１８、ブザー６８を駆動する。
【００２３】
図１２は、光源１８，ブザー６８に係る回路の概略構成を示す回路図である。この回路は、第１及び第２接点８２，８６で構成される第１スイッチ１０４と、ブザースイッチボタン２６により操作される第２スイッチ１０６を含む。第１スイッチ１０４のオフ状態は、導体筒９４の切り欠き９６内に第１接点８２が位置する時に対応し、オン状態は、導体筒９４と第１接点が接触した時に対応する。第２スイッチ１０６のオン状態は、ブザースイッチボタン２６が押されているときの状態に対応し、オフ状態は、押されていないときに対応する。第１および第２スイッチ１０４，１０６は直列に接続されており、両方のスイッチがオン状態となったときに、ブザー６８に電力が供給され、これが鳴る。つまり、光源１８に電力が供給され、これが点灯しているときにのみ、ブザー６８が鳴る。
【００２４】
前述のように、本実施形態のボールペン１０は、上部分３０と下部分３２とに分離することができる。暗いところで筆記するとき、記入対象の部分を照明するライトを内蔵した筆記具が提案されているが、これらは、軸部に内蔵される光源の光を、軸部に内蔵される導光部材によりペン先部に導き、ここより照射するものが多い。これらは、導光部材を内蔵することになり、部品点数の増加、製品の大型化を招く。本実施形態のボールペン１０では、ライト部分（上部分３０）を、ペン部分（下部分３２）と分離し、ライト部分を立てて置いて、記入対象の部分を照明するようにしている。このために、上部分の分離面２８Ａの形状は、係合凸部４０の頂面（図４においては、下側に向いている面）が、ボールペン１０の軸線に直交する平面となっている。上部分３０を立てて置くためには、分離面２８Ａの形状は、例えば、全体を平面とする、また、円環状の突起を設け、その頂面がボールペン１０の軸線に直交する平面内に存在するようにしてもよい。また、少なくとも３カ所に突起を設け、この突起を三脚の足のようにして、上部分３０を支えるようにしてもよい。
【図面の簡単な説明】
【００２５】
【図１】本実施形態のボールペン１０の全体構成を示す図である。
【図２】ボールペン１０の分離された上部分を示す図である。
【図３】ボールペン１０の分離された下部分を示す図である。
【図４】ボールペン１０の上部分と下部分の接合部を示す図である。
【図５】ボールペン１０の頭部、特にクリップの取り付け部分の構成を示す図である。
【図６】ボールペン１０の頭部の構成を示す図である。
【図７】クリップの形状を示す図である。
【図８】クリップの動きを示す図であり、特に、通常の使用時における位置を示す図である。
【図９】クリップの動きを示す図であり、ブザースイッチボタンを露出させる位置を示す図である。
【図１０】クリップの動きを示す図であり、ブザーを連続して鳴らす位置を示す図である。
【図１１】ボールペン１０の上部分の分解斜視図である。
【図１２】ボールペン１０の電気回路図である。
【符号の説明】
【００２６】
１０  ボールペン（筆記具）、１２  軸部、１６  クリップ、１８  光源、２０  先筒、２２  基筒、２４  ライトスイッチ筒、２６  ブザースイッチボタン、２８  分割面、３０  上部分、３２  下部分、６０  挟持片、６２  押し込み片、６８  ブザー。
【図１】
0003135331.tif 000003
【図２】
0003135331.tif 000004
【図３】
0003135331.tif 000005
【図４】
0003135331.tif 000006
【図５】
0003135331.tif 000007
【図６】
0003135331.tif 000008
【図７】
0003135331.tif 000009
【図８】
0003135331.tif 000010
【図９】
0003135331.tif 000011
【図１０】
0003135331.tif 000012
【図１１】
0003135331.tif 000013
【図１２】
0003135331.tif 000014